(57)【要約】 【課題】外気冷房方式を適用したサーバーラック室内システムに関し、除湿機構の再生に多くのエネルギーを必要とせず、エネルギー低減性能の高い外気冷房方式のサーバーラック室内システムを提供すること。【解決手段】２以上のサーバーラック１から構成されるサーバーラック列１ａが吹き出し口を備えた床２Ａの上に配設され、外気取り入れ孔２ａを介して床下空間ＶＣに導入された外気がサーバーラック列１ａに提供され、サーバーラック列１ａを通過した排気が空調機３で冷気とされるサーバーラック室内システム１０において、空調機３とサーバーラック列１ａの間の位置には２つの回転ロール５ａ，５ｂ間に架け渡されて回転自在な除湿布６が配設され、少なくとも１つの回転ロール５ｂは床下空間ＶＣの途中位置にあり、外気が除湿布６と接触して除湿され、除湿布６から水分を除去して除湿布６を再生する際に除湿布６に排気が提供されるようになっている。【選択図】図１
2015034689.tif 000002
【特許請求の範囲】
【請求項１】
２以上のサーバーラックから構成されるサーバーラック列が吹き出し口を備えた床の上に配設され、該床の下方には床下空間が設けられており、
前記床下空間には、外気取り入れ孔を介して外気が導入され、外気が吹き出し口を介してサーバーラック列に提供され、サーバーラック列を通過した排気が床下空間に流体連通している空調機で冷気とされるようになっているサーバーラック室内システムにおいて、
空調機とサーバーラック列の間の位置には、少なくとも２つの回転ロール間に架け渡されて回転自在な除湿布が配設され、少なくとも１つの回転ロールは床下空間の途中位置にあり、
床下空間に導入された外気が除湿布と接触して除湿され、除湿後の外気がサーバーラック列に提供されるようになっており、
除湿布から水分を除去して該除湿布を再生する際に、除湿布にサーバーラック列を通過した排気が提供されるようになっているサーバーラック室内システム。
【請求項２】
空調機と回転自在な除湿布の間に床下空間の下面から床下空間よりも上方までの高さを有する衝立が設けてあり、
床下空間に導入された外気や空調機から吹き出された冷気は、衝立の空調機側の面を沿って上昇し、衝立を超えて衝立のサーバーラック列側の面に沿って降下し、この降下の際に、衝立とサーバーラック列の間の位置にある除湿布で除湿がおこなわれるようになっている請求項１に記載のサーバーラック室内システム。
【請求項３】
床下空間に導入された外気が除湿布を通過するようになっている請求項１に記載のサーバーラック室内システム。
【請求項４】
２つの回転ロール間に架け渡された除湿布の内部にペルチェ素子が配設され、この際に、ペルチェ素子の発熱面をサーバーラック列側の除湿布に対向させ、ペルチェ素子の冷却面を空調機側の除湿布に対向させる請求項２に記載のサーバーラック室内システム。
【発明の詳細な説明】
【技術分野】
【０００１】
本発明は、外気を導入して冷気として適用するサーバーラック室内システムに関するものである。
【背景技術】
【０００２】
インターネットやLANなどのネットワーク上で複数のパソコンに多様な機能やサービスを提供したり、データを一元化するサーバーがラックに集積されてサーバーラックを構成し、複数のサーバーラックが隣接するように配設されてサーバーラック列を構成し、複数のサーバーラック列が通路を挟んで配設されてサーバーラック室内システムが構成される。各サーバーラック列間の通路は、サーバーラックの背面から排気が排出されるホットアイル空間と、冷気が提供されるコールドアイル空間のいずれか一方を形成しており、サーバーラック室内システムにおいては、このホットアイル空間とコールドアイル空間が交互に形成されているのが一般的である。なお、このサーバーラック室内システムはデータセンターなどと称されることもある。
【０００３】
上記通路はたとえば二重床構造となっており、かつ、この二重床を構成する上床には冷気が流通する多数の吹き出し口が開設されており、空調機から提供された冷気は二重床の間に形成されている床下空間を流通するようになっている。
【０００４】
そして、吹き出し口を介してコールドアイル空間に提供された冷気は、それぞれのサーバーラック列の該コールドアイル空間に臨む前面を介してサーバーラック列を構成する各サーバーラックに提供され、サーバーラックに収納されたサーバーを通過する過程で冷気は熱を奪って昇温して暖気となってサーバーラックの背面からホットアイル空間に排出される。サーバーラックの背面から排出された排気は空調機や空気制御装置等に戻され、ここで再び冷気に戻されるようになっており、このような冷気の循環がサーバーラック室内で繰り返されることにより、各サーバーが所定温度状態に制御されるのが一般的である。
【０００５】
このように、空調機からの冷気を二重床の床下空間に流し、床からコールドアイル空間に冷気を吹き出して各サーバーラックに提供する空調方式は、床吹き出し空調と称されることもあり、空調機から横方向に冷気を流して各サーバーラックに冷気を提供する空調方式と区別される。
【０００６】
この床吹き出し空調においては、各コールドアイル空間の前方位置に空調機が配設され、空調機から吹き出された冷気は床下空間を流通しながら吹き出し口を介して上方のサーバーラックに提供される。
【０００７】
ところで、空調機に投入されるエネルギー低減の観点から、サーバーラック室に外気を導入し、これを冷気として有効活用する冷房方式が注目されており、このように外気冷房方式が適用されたサーバーラックにおける空調機に関する技術が特許文献１に開示されている。なお、特許文献１で開示される空調機は、導入された外気を加湿器で空調する加湿空調方式の空調機である。
【０００８】
サーバーラック室の空調に際しては、温度の他に湿度の管理も重要である。湿度が高すぎると結露や電気回路の短絡の問題が生じ得るし、湿度が低すぎると静電気障害が生じ得るからである。
【０００９】
また、この湿度管理に関し、外気冷房方式を適用するに当たり、たとえば湿度の高い夏期においては、外気導入後に除湿をおこなった後に冷気をサーバーラック列に提供する必要がある。
【００１０】
この除湿に当たり、静止ブロック型のデシカント（シリカゲルやゼオライト等の乾燥剤を角形もしくは円筒形に成形したもの）をたとえば床下空間に配設しておき、床下空間に導入された外気をこのデシカントに通過させ、この通過の過程で除湿をおこない、除湿後の外気からなる冷気をサーバーラック列に提供する構成のサーバーラック室内システムが適用されている。なお、このようにデシカントを使用してたとえば外気の除湿をおこない、除湿後の外気を冷気としてサーバーラックに提供する方式をデシカント空調と称することができる。
【００１１】
このようなデシカント空調においては、吸湿したデシカントから水分を取り除いて除湿性能のあるデシカントを再度生成する、いわゆるデシカントの再生が必要となる。このデシカントの再生に当たり、上記する静止ブロック型のデシカントを適用する場合には、デシカントに熱を提供するためのヒーター等の熱源が必要となり、エネルギー低減を目的として外気冷房方式を採用しているにも関わらず、デシカント再生用の熱源に要するエネルギーでエネルギー低減効果が減殺されてしまう。
【先行技術文献】
【特許文献】
【００１２】
【特許文献１】特開２０１０−２６１６９６号公報
【発明の概要】
【発明が解決しようとする課題】
【００１３】
本発明は上記する問題に鑑みてなされたものであり、外気冷房方式を適用したサーバーラック室内システムに関し、除湿機構の再生に多くのエネルギーを必要とせず、もってエネルギー低減性能の高い外気冷房方式のサーバーラック室内システムを提供することを目的としている。
【課題を解決するための手段】
【００１４】
前記目的を達成すべく、本発明によるサーバーラック室内システムは、２以上のサーバーラックから構成されるサーバーラック列が吹き出し口を備えた床の上に配設され、該床の下方には床下空間が設けられており、前記床下空間には、外気取り入れ孔を介して外気が導入され、外気が吹き出し口を介してサーバーラック列に提供され、サーバーラック列を通過した排気が床下空間に流体連通している空調機で冷気とされるようになっているサーバーラック室内システムにおいて、空調機とサーバーラック列の間の位置には、少なくとも２つの回転ロール間に架け渡されて回転自在な除湿布が配設され、少なくとも１つの回転ロールは床下空間の途中位置にあり、床下空間に導入された外気が除湿布と接触して除湿され、除湿後の外気がサーバーラック列に提供されるようになっており、除湿布から水分を除去して該除湿布を再生する際に、除湿布にサーバーラック列を通過した排気が提供されるようになっているものである。
【００１５】
本発明のサーバーラック室内システムは、床下空間に導入された外気を除湿する除湿機構として、二重床の下方の床下空間と上方の上方空間の間を除湿布が回転しながら移動する機構を適用し、この回転姿勢の除湿布によって外気の除湿をおこなうとともに、回転姿勢の除湿布の再生をサーバーラック背面から排出された熱を帯びた排気でおこなうものであり、この構成により、除湿材の再生に当たって該再生に固有の熱源を不要とし、外気冷房方式を適用していることと相俟ってエネルギー低減性能の高いシステムである。
【００１６】
たとえば２つの回転ロール間に架け渡された回転自在な除湿布は空調機とサーバーラック列の間の位置に配設されており、下方の回転ロールは床下空間に位置しており、したがって回転する除湿布は床下空間と床上空間を繰り返し移動することができる。ここで、回転ロール間に架け渡された除湿布の実施の形態として、２つの回転ロール間に除湿布が架け渡された形態の他にも、たとえば下方に３つ、上方に２つの回転ロールが配設され、これら５つの回転ロール間に架け渡された除湿布が移動する形態や、２つの回転ロール間に除湿布が架け渡された構成を１つのユニットとして、２以上のユニットを併設させてなる複数連形態などを挙げることができる。
【００１７】
ここで、除湿布は、布（織物）や不織布、フィルムなどから形成され、除湿布に高分子収着材の粉末を含浸させたり、シリカゲルやゼオライト等の乾燥剤を接着剤を介して除湿布に接着させたり、ブロック状の乾燥剤を留めピンにて除湿布に固定すること等により形成される。
【００１８】
２以上のサーバーラック列は通路を挟んで二重床の上に配設され、交互に形成される各通路はそれぞれコールドアイル空間とホットアイル空間を形成する。
【００１９】
床下空間の適所に設けられた外気取り入れ孔から床下空間に導入された外気は、少なくとも床下空間において除湿布と接触してその除湿が図られる。
【００２０】
回転自在な除湿布が空調機とサーバーラック列の間の位置に配設されていることから、各ホットアイル空間から排出された排気はたとえばサーバーラック列の上方を空調機側に流れる過程で除湿布に提供され、この排気の熱によって除湿布の再生が図られる。
【００２１】
除湿布を通過した排気は空調機に送られ（排気の一部はサーバーラック室外へ排出されてもよい）、空調機で冷気が生成されて床下空間に提供されることになる。
【００２２】
このように、外気導入方式における「冷気」とは、導入された外気のほかにも、外気がサーバーラックを通過する過程で生じた排気が空調機に通されて生成されたもの、これらが混合したものなどが含まれている。なお、空調機の前方であって排気が空調機に入る直前の位置に冷却板等を配設しておき、排気が冷却板等に接触する過程で予冷され、予冷後の排気を空調機に送ることで空調機における必要エネルギー（排気を冷気とする際に必要なエネルギー）を低減させてもよい。
【００２３】
上記するような回転自在な除湿布からなる除湿機構は、たとえば２階以上のビルにおいては各階に設けておくのが好ましい。たとえば５階建てのビルにおいて、各階を二重床構造とし、各二重床の適所に外気取り入れ孔が設けてあり、各階に配設された空調機とサーバーラック列の間の位置に回転自在な除湿布からなる除湿機構が配設された構成を適用できる。
【００２４】
また、床下空間への外気の導入形態としては、床下空間の適所に外気取り入れ孔を設けておくだけの形態の他にも、この外気取り入れ孔に外気導入ファンを設けておいて積極的に外気を導入する形態や、空調機から冷気を吹き出す吹き出し部の近傍に外気取り入れ孔を設けておいて、空調機から吹き出された冷気の流れを利用して真空雰囲気を形成し、この真空雰囲気にて外気を導入する、いわゆるエジェクター効果を利用した外気導入方式などを適用できる。
【００２５】
ここで、回転自在な除湿布のより具体的な実施の形態として、以下２つの形態を挙げることができる。
【００２６】
回転自在な除湿布の一つの実施の形態は、空調機と回転自在な除湿布の間に床下空間の下面から床下空間よりも上方までの高さを有する衝立が設けてあり、床下空間に導入された外気や空調機から吹き出された冷気は、衝立の空調機側の面を沿って上昇し、衝立を超えて衝立のサーバーラック列側の面に沿って降下し、この降下の際に、衝立とサーバーラック列の間の位置にある除湿布で除湿がおこなわれるようになっている形態である。
【００２７】
外気を衝立を超えて衝立のサーバーラック列側の面に沿って降下させ、この降下の過程で除湿布に接触させることにより、外気と除湿布の接触面積を多くすることができ、もしくは接触時間を長くすることができ、除湿布による除湿性が極めて高くなる。
【００２８】
なお、この形態においては、２つの回転ロール間に架け渡された除湿布の内部にペルチェ素子を配設しておき、この際に、ペルチェ素子の発熱面をサーバーラック列側の除湿布に対向させ、ペルチェ素子の冷却面を空調機側の除湿布に対向させることにより、ペルチェ素子の発熱面からの熱による除湿布の再生効果が高められ、ペルチェ素子の冷却面から吸熱によって外気の予冷効果が得られる。
【００２９】
また、回転自在な除湿布の他の実施の形態は、床下空間に導入された外気が除湿布を通過するようになっている形態である。
【００３０】
この形態の除湿機構では、床下空間を流通する外気が床下空間にある除湿布を通過する過程で除湿がおこなわれるものであり、既述する衝立を備えた形態の除湿機構に比して外気と除湿布の接触面積が相対的に少なくなることから除湿性能は劣るものの、除湿機構の構成が極めてシンプルであることから除湿機構の製作コストは相対的に安価となる。  
【発明の効果】
【００３１】
以上の説明から理解できるように、本発明のサーバーラック室内システムによれば、床下空間に導入された外気を除湿する除湿機構として、二重床の上方の空間と下方の床下空間の間を除湿布が回転する機構を適用し、この除湿布で外気の除湿をおこなうとともに、除湿布の再生はサーバーラック背面から排出された熱を帯びた排気を使用しておこなうことにより、除湿材の再生のための固有の熱源を不要とし、外気冷房方式を適用していることと相俟ってエネルギー低減性能の高いサーバーラック室内システムを提供することができる。
【図面の簡単な説明】
【００３２】
【図１】本発明のサーバーラック室内システムの実施の形態１を示した模式図である。
【図２】（ａ）、（ｂ）はそれぞれ、除湿布の実施の形態１，２を示した模式図である。
【図３】本発明のサーバーラック室内システムの実施の形態２を示した模式図である。
【図４】本発明のサーバーラック室内システムの実施の形態３を示した模式図である。
【図５】本発明のサーバーラック室内システムの実施の形態４を示した模式図である。
【図６】本発明のサーバーラック室内システムの実施の形態５を示した模式図である。
【発明を実施するための形態】
【００３３】
以下、図面を参照して本発明のサーバーラック室内システムの実施の形態を説明する。なお、図示例は、一つの階におけるサーバーラック室内システムを説明したものであるが、２階以上の複数階のそれぞれにサーバーラック室内システムが適用される場合には、各階ともに図示例のシステムが適用される。
【００３４】
（サーバーラック室内システムの実施の形態１）
図１は本発明のサーバーラック室内システムの実施の形態１を示した模式図であり、図２ａ、ｂはそれぞれ、除湿布の実施の形態１，２を示した模式図である。
【００３５】
図示するサーバーラック室内システム１０は、床吹き出し空調形式のシステムである。二重床２の上床２Ａには複数のサーバーラック１が側方に並べられてサーバーラック列１ａを構成し、複数のサーバーラック列１ａが通路を介して並べられてその全体が構成されている。対向するサーバーラック列１ａの間の通路は、サーバーラックの前面であって冷気をサーバーラック１内に取り込む側となるコールドアイル空間ＣＡと、サーバーラック１の背面側に位置するホットアイル空間のいずれかを形成しており、併設する複数のサーバーラック列１ａ間に形成されるそれぞれの通路には、コールドアイル空間ＣＡとホットアイル空間が交互に形成されている。なお、図示例は、コールドアイル空間ＣＡを通る縦断面である。
【００３６】
サーバーラック室において、各コールドアイル空間ＣＡの前方位置にはそれぞれに固有の空調機３が配設されている。なお、空調機の配設態様はコールドアイル空間の前方位置のみに限定されるものではなく、必要に応じて他の部位（たとえば図示例では紙面の奥側にある最後尾のサーバーラック列の奥の各所）にさらに空調機が配設される形態であってもよい。
【００３７】
二重床２は、上床２Ａと下床２Ｂから構成され、これら２つの床２Ａ，２Ｂ間に床下空間ＶＣが形成されており、この床下空間ＶＣを冷気が流通する床下空調方式が採用されている。
【００３８】
空調機３とサーバーラック列１ａの間の位置には、床下空間ＶＣの内部に回転ロール５ｂが配設され、この直上の床上空間には別途の回転ロール５ａが配設され、これらの回転ロール５ａ、５ｂ間にロール状で連続した除湿布６が架け渡されている。不図示のサーボモータ等のアクチュエータが駆動するとたとえば回転ロール５ａが回転し、この回転によって除湿布６は上床２Ａの上下間を回転しながら繰り返し移動することになる（Ｙ方向）。なお、この回転ロール５ａ，５ｂと除湿布６、もしくはこれらの変形例をまとめて、本明細書では除湿機構と称する。
【００３９】
除湿布６のより具体的な構成を図２ａ，ｂに示す。
【００４０】
図２ａで示す除湿布６は、布（織物）や不織布、フィルムなどから形成され、シリカゲルやゼオライト等のブロック状の乾燥剤８を接着剤を介して除湿布６に接着させたものである。なお、除湿布６へのブロック状の乾燥剤８の固定方法はこの接着方法のほかにも、ブロック状の乾燥剤８を除湿布６に対してピン留めする方法もある。
【００４１】
一方、図２ｂで示す除湿布６では、高分子収着材の粉末（含浸乾燥剤８Ａ）が含浸された形態である。
【００４２】
図示例のように除湿剤が固定もしくは含浸された除湿布６を回転ロール５ａ、５ｂ間で回転させる過程で、回転姿勢の除湿布６のうち、ある領域では外気等の除湿をおこない、別の領域では水分を含んだ除湿布６を乾燥させてその再生が図られるようになっている（以下で詳述）。
【００４３】
空調機３と除湿機構の間には、二重床２の下床２Ｂから床下空間ＶＣよりも上方までの高さを有する（具体的には空調機３の上面レベル相当までの高さを有する）衝立４が設けてある。
【００４４】
また、サーバーラック室のうち、空調機３に対してサーバーラック列１ａと反対側の位置の側面（紙面で手前側の端面）には外気取り入れ孔２ａが設けてあり、この外気取り入れ孔２ａにはダクトが流体連通していて、ダクトの各空調機３の位置には開口が開設され、開口を介して外気が床下空間ＶＣに流れ込むようになっている。
【００４５】
より具体的には、空調機３の下方から床下空間ＶＣに冷気が送り出される（Ｘ２方向）が、この空調機３の下面には湾曲状の外気導入板２ｂが床下空間ＶＣ内に張り出すようにして取り付けられており、空調機３から送り出された冷気は外気導入板２ｂの上面を滑りながら床下空間ＶＣ内に提供される（Ｘ２方向）。一方、外気導入板２ｂの先端と下床２Ｂの間には導入された外気が流通する隙間があり、この隙間の前方には、外気導入板２ｂの上を空調機３からの冷気が流れる（Ｘ２方向）過程で真空領域ＶＡが形成される。この真空領域ＶＡにより、エジェクター効果で外気取り入れ孔２ａからの外気の導入が促進され（Ｘ１方向）、導入された外気は空調機３からの冷気とともに床下空間ＶＣを流れる。なお、外気の導入形態は図示例以外にも、単に外気取り入れ孔２ａのみを有する形態や、外気取り入れ孔２ａの外側に導入ファンを備えた形態などであってもよい。
【００４６】
ここで、「冷気」とは、サーバーラック１の背面から排出された排気が空調機３を通過する過程で生成された気体や、床下空間ＶＣに導入された外気、これらが混合した気体などを含んでいる。
【００４７】
空調機３から流下した（Ｘ２方向）冷気や床下空間ＶＣに導入された（Ｘ１方向）外気は、流下方向にある衝立４の空調機３側の面を沿って上昇し、衝立４を超えて衝立４のサーバーラック列１ａ側の面に沿って降下する（Ｘ３方向）。
【００４８】
そして、この降下の際に、衝立４とサーバーラック列１ａの間に位置して回転する（Ｙ方向）除湿布６に外気等が接する過程で除湿がおこなわれ、除湿後の外気等が床下空間ＶＣを流通し、上床２Ａに設けられている不図示の吹き出し口を介して床上のコールドアイル空間ＣＡに提供され（Ｘ４方向）、各サーバーラック１の前面から各サーバーラック１に提供される。なお、このような冷気の上昇は、サーバーラック１の背面に排気排出用のファンが一般に取り付けられており、このファンの駆動によって二重床２の上方空間は床下空間ＶＣに比して一般に減圧雰囲気となっており、これら２つの空間の差圧によって齎されるものである。
【００４９】
冷気はサーバーラック１内を流通する過程でサーバーから熱を奪い、冷気が昇温して生成された排気はサーバーラック１の背面からホットアイル空間に排出され、ホットアイル空間の上方で空調機３側に流れる（Ｘ５方向）。空調機３のうち、サーバーラック列１ａと反対側には排気の一部をサーバーラック室外に排気する（Ｘ８方向）ための排気ファン７ｂが設けてあり、排気ファン７ｂを駆動するとホットアイル空間にある排気が吸引され、この排気ファン７ｂに向かう排気の流れ（Ｘ５方向、Ｘ７方向）が形成される。
【００５０】
ホットアイル空間にて空調機３側に流れてきた排気の一部は空調機３側にある最端のサーバーラック１の端部を回り込み、空調機３側の位置で回転している除湿布６に流れ込む（Ｘ６方向）。
【００５１】
このように流れ込んできた排気の熱により、湿度のある除湿布６（および乾燥剤８，８Ａ）から水分が取り除かれ、除湿布６（および乾燥剤８，８Ａ）の再生が図られる。
【００５２】
このように、図示例の除湿機構では、回転姿勢の除湿布６のうち、空調機３側の全面で外気等からの除湿がおこなわれることより、高い除湿効果が期待できる。
【００５３】
一方、回転姿勢の除湿布６のうち、サーバーラック列１ａ側の全面で排気による再生が図られることより、高い再生効果が期待できる。
【００５４】
空調機３の前方であって排気が空調機３に入る直前の位置には冷却板７ａが設けてあり、排気が冷却板７ａに接触する過程で予冷され、予冷後の排気が空調機３に送られるようになっている（Ｘ９方向）。なお、図示する冷却板７ａは、外気が導入等されているサーバーラック室天井の空間まで延びている冷却パイプを備えていてもよい。
【００５５】
冷却板７ａで予冷された排気は空調機３に送られ、ここで冷気が生成されて空調機３の下方から床下空間ＶＣに吹き出され、吹き出された冷気と導入された外気が衝立４に沿って再度上昇し、除湿されてサーバーラック列１ａに提供されることになる。
【００５６】
図示するサーバーラック室内システム１０によれば、床下空間ＶＣに導入された外気を除湿する除湿機構として、二重床２の下方の床下空間ＶＣと上方の上方空間の間を除湿布６が回転しながら移動する機構を適用し、この回転姿勢の除湿布６によって外気の除湿をおこなうとともに、回転姿勢の除湿布６の再生をサーバーラック背面から排出された熱を帯びた排気でおこなうことにより、除湿材の再生に当たって該再生に固有の熱源を不要とし、外気冷房方式を適用していることと相俟ってエネルギー低減性能の高いシステムとなる。
【００５７】
（サーバーラック室内システムの実施の形態２）
図３は本発明のサーバーラック室内システムの実施の形態２を示した模式図である。
【００５８】
図示するサーバーラック室内システム１０Ａは、図１で示すサーバーラック室内システム１０に対して、２つの回転ロール５ａ，５ｂ間に架け渡された除湿布６の内部にペルチェ素子９を配設したものである。
【００５９】
より具体的には、ペルチェ素子９の発熱面９ａをサーバーラック列１ａ側の除湿布６に対向させ、ペルチェ素子９の冷却面９ｂを空調機３側の除湿布６に対向させている。
【００６０】
図示例のサーバーラック室内システム１０Ａによれば、ペルチェ素子９の発熱面９ａからの熱によって除湿布６の再生効果が高められ、ペルチェ素子９の冷却面９ｂから吸熱によって外気の予冷効果が得られる。
【００６１】
（サーバーラック室内システムの実施の形態３）
図４は本発明のサーバーラック室内システムの実施の形態３を示した模式図である。
【００６２】
図示するサーバーラック室内システム１０Ｂは、図１で示すサーバーラック室内システム１０の構成をより簡素化したものであり、衝立を廃して回転ロール５ａ、５ｂと除湿布６のみから構成された除湿機構を適用するものである。
【００６３】
床下空間ＶＣを流通する外気が床下空間ＶＣにある除湿布６を通過する過程で（Ｘ３’方向）除湿がおこなわれるものであり、衝立４を備えた形態の除湿機構に比して外気と除湿布６の接触面積が相対的に少なくなることから除湿性能は劣るものの、除湿機構の構成が極めてシンプルであることから除湿機構の製作コストは相対的に安価となる。
【００６４】
（サーバーラック室内システムの実施の形態４）
図５は本発明のサーバーラック室内システムの実施の形態４を示した模式図である。
【００６５】
図示するサーバーラック室内システム１０Ｃは、２つの回転ロール５ａ，５ｂ間に除湿布６が架け渡された構成を１つのユニットとして、２つのユニットを併設させた複数連形態の除湿機構を有している。なお、所望する除湿性能に応じて、３つ以上のユニットを併設させてもよい。
【００６６】
（サーバーラック室内システムの実施の形態５）
図６は本発明のサーバーラック室内システムの実施の形態５を示した模式図である。
【００６７】
図示するサーバーラック室内システム１０Ｄは、下方に２つの回転ロール５ｂを配し、これらよりも若干高い位置に別途の１つの回転ロール５ｂ’を配し、上方位置に２つの別途の回転ロール５ａを配し、これらにロール状の除湿布６が順次架け渡され、上下に移動自在に構成された連続連形態の除湿機構を具備するものである。
【００６８】
このように、サーバーラック室内システム１０Ｂによれば、外気等が除湿布６と接する領域が少なくなるため、サーバーラック室内システム１０Ｃ，１０Ｄ等の複数連形態の除湿機構や連続連形態の除湿機構を適用することで所望の除湿性能を確保することができる。
【００６９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７０】
１…サーバーラック、１ａ…サーバーラック列、２…二重床、２Ａ…床（上床）、２Ｂ…下床、２ａ…外気取り入れ孔、２ｂ…外気導入板、３…空調機、４…衝立、５ａ，５ｂ，５ｂ’…回転ロール、６…除湿布、７ａ…冷却板、７ｂ…排気ファン、８…ブロック状の乾燥剤、８Ａ…含浸乾燥剤、９…ペルチェ素子、１０，１０Ａ，１０Ｂ，１０Ｃ，１０Ｄ…サーバーラック室内システム、ＶＣ…床下空間、ＶＡ…真空領域
【図１】
2015034689.tif 000003
【図２】
2015034689.tif 000004
【図３】
2015034689.tif 000005
【図４】
2015034689.tif 000006
【図５】
2015034689.tif 000007
【図６】
2015034689.tif 000008
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
２以上のサーバーラックから構成されるサーバーラック列が吹き出し口を備えた床の上に配設され、該床の下方には床下空間が設けられており、
前記床下空間には、外気取り入れ孔を介して外気が導入され、外気が吹き出し口を介してサーバーラック列に提供され、サーバーラック列を通過した排気が床下空間に流体連通している空調機で冷気とされるようになっているサーバーラック室内システムにおいて、
空調機とサーバーラック列の間の位置には、少なくとも２つの回転ロール間に架け渡されて回転自在な除湿布が配設され、少なくとも１つの回転ロールは床下空間の途中位置にあり、
床下空間に導入された外気が除湿布と接触して除湿され、除湿後の外気がサーバーラック列に提供されるようになっており、
除湿布から水分を除去して該除湿布を再生する際に、除湿布にサーバーラック列を通過した排気が提供されるようになっているサーバーラック室内システムであって、
空調機と回転自在な除湿布の間に床下空間の下面から床下空間よりも上方までの高さを有する衝立が設けてあり、
床下空間に導入された外気や空調機から吹き出された冷気は、衝立の空調機側の面を沿って上昇し、衝立を超えて衝立のサーバーラック列側の面に沿って降下し、この降下の際に、衝立とサーバーラック列の間の位置にある除湿布で除湿がおこなわれるようになっているサーバーラック室内システム。
【請求項２】
２つの回転ロール間に架け渡された除湿布の内部にペルチェ素子が配設され、この際に、ペルチェ素子の発熱面をサーバーラック列側の除湿布に対向させ、ペルチェ素子の冷却面を空調機側の除湿布に対向させる請求項１に記載のサーバーラック室内システム。